(57)【要約】      （修正有）【課題】複数品の調理を迅速かつ容易に行うことができる調理器具を提供する。【解決手段】食材を収容して加熱処理する加熱本体部２を有し、加熱本体部が、食材をそれぞれ収容する複数の本体凹部２２と、複数の本体凹部を平面方向に連結する連結部２１とを備える。これにより、複数の食材を加熱処理して複数品の調理をする場合に、順番に調理していくことなく、複数の本体凹部に食材を入れて同時に調理することができる。そのため、複数の料理を迅速かつ容易に行うことができる。【選択図】図１
0003183737.tif 000002
【実用新案登録請求の範囲】
【請求項１】
食材を収容して加熱処理する加熱本体部を有し、
前記加熱本体部が、
前記食材をそれぞれ収容する複数の本体凹部と、
前記複数の本体凹部を平面方向に連結する連結部とを備える調理器具。
【請求項２】
前記連結部の中央部に、前記本体凹部の開口寸法よりも小さな開口寸法を有する本体小凹部が形成されていることを特徴とする請求項１に記載の調理器具。
【請求項３】
前記連結部が板状に形成されており、
前記連結部の一方の主面に、前記複数の本体凹部が形成され、
前記連結部の他方の主面から、前記複数の本体凹部の外面がそれぞれ突出し、前記外面同士の間にクリアランスが設けられていることを特徴とする請求項１または請求項２に記載の調理器具。
【請求項４】
前記複数の本体凹部の外面と前記連結部の他方の主面とに、前記外面および前記他方の主面にわたって延ばされた環状のリブが形成され、
前記クリアランスは、前記環状のリブによって環状内に区画されていることを特徴とする請求項３に記載の調理器具。
【請求項５】
前記本体凹部が、前記本体小凹部の周囲において周方向に均等間隔を空けて設けられ、
前記本体小凹部と前記環状のリブが、同心状に設けられていることを特徴とする請求項４に記載の調理器具。
【請求項６】
前記本体凹部の外面と前記本体小凹部の外面とにわたって延ばされた板状のリブが形成され、
前記板状のリブは、前記環状のリブ内において、周方向に均等間隔を空けて設けられ、
前記クリアランスは、前記板状のリブによって区画されていることを特徴とする請求項４または請求項５に記載の調理器具。
【請求項７】
前記板状のリブの高さ寸法は、前記本体凹部の外面の高さ寸法よりも小さくなっており、
前記環状のリブの高さ寸法は、前記本体凹部の外面の高さ寸法よりも大きくなっていることを特徴とする請求項６に記載の調理器具。
【請求項８】
前記連結部の外縁部に、前記本体凹部の間において前記連結部の中央部に向けて没する連結凹部が設けられていることを特徴とする請求項１から請求項７のいずれか一項に記載の調理器具。
【請求項９】
前記連結部が板状に形成されており、
前記連結部の外縁部に、前記連結部の他方の主面側に立ち上げられた取付壁部が設けられ、前記取付壁部に取手部が取り付けられていることを特徴とする請求項１から請求項８のいずれか一項に記載の調理器具。
【請求項１０】
前記連結部の中央部に、前記本体凹部の開口寸法よりも小さな開口寸法を有する本体小凹部が１つ形成され、前記本体小凹部の周りに周方向に均等間隔を空けて前記本体凹部が４つ形成されていることを特徴とする請求項１から請求項９のいずれか一項に記載の調理器具。
【考案の詳細な説明】
【技術分野】
【０００１】
本考案は、食材を調理するための調理器具に関する。
【背景技術】
【０００２】
従来、食材を調理するものとして、種々の調理器具が利用されている。
このような調理器具としては、食材を収容する本体部と、この本体部に取り付けられた取手部とを備えるものが知られている（例えば、特許文献１参照。）。このような構成のもと、本体部に食材を入れて、取手部を把持しながら当該本体部を加熱することにより、食材が加熱処理される。
【先行技術文献】
【特許文献】
【０００３】
【特許文献１】特開２０１２−２００２９８号公報
【考案の概要】
【考案が解決しようとする課題】
【０００４】
しかしながら、このような調理器具では、複数の食材を加熱処理して複数品の調理をする場合に、順番に調理していかなければならないため、多くの時間がかかってしまうという問題がある。
【０００５】
本考案は、このような問題を解決するためになされたもので、複数品の調理を迅速かつ容易に行うことができる調理器具を提供することを目的とする。
【課題を解決するための手段】
【０００６】
上記課題を解決するために、本考案は以下の手段を提供する。
本考案は、食材を収容して加熱処理する加熱本体部を有し、前記加熱本体部が、前記食材をそれぞれ収容する複数の本体凹部と、前記複数の本体凹部を平面方向に連結する連結部とを備える。
【０００７】
この考案においては、複数の本体凹部に食材が入れられて同時に調理される。
これにより、複数の料理を迅速かつ容易に行うことができる。
【０００８】
また、本考案は、前記連結部の中央部に、前記本体凹部の開口寸法よりも小さな開口寸法を有する本体小凹部が形成されていてもよい。
【０００９】
この考案によれば、本体小凹部に食材を収容することができるだけでなく、連結部の中央部の熱を、厚さ方向よりも面方向に、より伝え易くすることができる。
【００１０】
また、本考案は、前記連結部が板状に形成されており、  前記連結部の一方の主面に、前記複数の本体凹部が形成され、  前記連結部の他方の主面から、前記複数の本体凹部の外面がそれぞれ突出し、前記外面同士の間にクリアランスが設けられていてもよい。
【００１１】
この考案によれば、加熱本体部を軽量化することができる。
【００１２】
また、本考案は、前記複数の本体凹部の外面と前記連結部の他方の主面とに、前記外面および前記他方の主面にわたって延ばされた環状のリブが形成され、前記クリアランスは、前記環状のリブによって環状内に区画されていてもよい。
【００１３】
この考案によれば、加熱本体部の強度を増大させることができるだけでなく、クリアランス内の熱気を環状内に止めることができる。
【００１４】
また、本考案は、前記本体凹部が、前記本体小凹部の周囲において周方向に均等間隔を空けて設けられ、前記本体小凹部と前記環状のリブが、同心状に設けられていてもよい。
【００１５】
この考案によれば、加熱本体部のバランス性を向上させることができるだけでなく、クリアランス内の熱気を他方の主面側の中央に配することができる。
【００１６】
また、本考案は、前記本体凹部の外面と前記本体小凹部の外面とにわたって延ばされた板状のリブが形成され、前記板状のリブは、前記環状のリブ内において、周方向に均等間隔を空けて設けられ、前記クリアランスは、前記板状のリブによって区画されていてもよい。
【００１７】
この考案によれば、加熱本体部の強度を増大させることができるだけでなく、クリアランス内の熱気を、周方向に均等に均すことができる。
【００１８】
また、本考案は、前記板状のリブの高さ寸法が、前記本体凹部の外面の高さ寸法よりも小さくなっており、前記環状のリブの高さ寸法が、前記本体凹部の外面の高さ寸法よりも大きくなっていてもよい。
【００１９】
この考案によれば、板状のリブによって区画されたクリアランス内の熱気を、隣の区画に伝えることを許容しつつ、環状のリブの外への排出を抑制することができる。
【００２０】
また、本考案は、前記連結部の外縁部に、前記本体凹部の間において前記連結部の中央部に向けて没する連結凹部が設けられていてもよい。
【００２１】
この考案によれば、加熱本体部を軽量化することができる。
【００２２】
また、本考案は、前記連結部が板状に形成されており、前記連結部の外縁部に、前記連結部の他方の主面側に立ち上げられた取付壁部が設けられ、前記取付壁部に取手部が取り付けられていてもよい。
【００２３】
この考案によれば、他方の主面の中央部の熱を取手部にダイレクトに伝わることを防止することができる。
【００２４】
また、本考案は、前記連結部の中央部に、前記本体凹部の開口寸法よりも小さな開口寸法を有する本体小凹部が１つ形成され、前記本体小凹部の周りに周方向に均等間隔を空けて前記本体凹部が４つ形成されていてもよい。
【００２５】
この考案によれば、バランス性をさらに向上させることができる。
【考案の効果】
【００２６】
本考案によれば、複数品の調理を迅速かつ容易に行うことができる。
【図面の簡単な説明】
【００２７】
【図１】本考案の実施形態におけるフライパンを表面から見た様子を示す平面図である。
【図２】図１のフライパンを示す斜視図である。
【図３】図１のフライパンを裏面から見た様子を示す平面図である。
【図４】図３のフライパンを示す斜視図である。
【図５】図１のフライパンを側方から見た様子を示す側面図である。
【図６】図１のフライパンを正面から見た様子を示す正面図である。
【図７】図１のフライパンにフタを設けた様子を示す斜視図である。
【図８】図１のフライパンの変形例を示す平面図である。
【図９】図１のフライパンの他の変形例を示す平面図である。
【考案を実施するための最良の形態】
【００２８】
（実施形態）
以下、本考案の実施形態におけるフライパン（調理器具）について、図面を参照して説明する。
図１および図２は、本実施形態におけるフライパンを示すものである。
フライパン１は、金属からなる加熱本体部２と、この加熱本体部２に取り付けられた取手部３とを備えている。
加熱本体部２は、板状に形成された連結部２１と、この連結部２１の一方の主面２１ａに形成された本体凹部２２および本体小凹部２４とを備えている。
【００２９】
連結部２１の一方の主面２１ａの中央部には、連結部２１の厚さ方向に没する本体小凹部２４が形成されている。本体小凹部２４の開口縁部２４１は、円形状に形成されている。また、開口縁部２４１は、連結部２１の一方の主面２１ａと面一になっている。
また、連結部２１の一方の主面２１ａの中央部近傍には、連結部２１の厚さ方向に没する本体凹部２２が形成されている。本体凹部２２は、本体小凹部２４の周りに、周方向に均等間隔を空けて４つ形成されている。それぞれの本体凹部２２と本体小凹部２４との間隔もすべて均等間隔になっている。
【００３０】
これら本体凹部２２の形状やサイズはすべて同一になっている。すなわち、これら本体凹部２２の開口縁部２２１は、すべて円形状に形成されており、開口寸法や深さ寸法もすべて同一になっている。また、開口縁部２２１は、連結部２１の一方の主面２１ａとすべて面一になっている。そのため、すべての本体凹部２２の開口縁部２２１と本体小凹部２４の開口縁部２４１とは、連結部２１の一方の主面２１ａと面一になっている。
さらに、開口縁部２２１の開口寸法ｒ１は、開口縁部２４１の開口寸法ｒ２よりも大きくなっている。また、本体凹部２２と本体小凹部２４との深さ寸法は、すべて同一になっている。
【００３１】
また、図３および図４に示すように、連結部２１の他方の主面２１ｂの中央部には、本体小凹部２４の外面を構成する小外面２４２が、連結部２１の厚さ方向に突出している。小外面２４２は、中空の円柱状に形成されている。この中空の部分が、本体小凹部２４に対応することはいうまでもない。また、小外面２４２は、先端に向かうにしたがって径寸法が漸次小さくなるようになっている。
この小外面２４２は、他方の主面２１ｂから立ち上がる外周面２４２ａと、この外周面２４２ａの先端に設けられた外底面２４２ｂとを備えている。これら外周面２４２ａと外底面２４２ｂとの連結部分は、全周にわたってＲ状に面取りされている。
【００３２】
さらに、他方の主面２１ｂの中央部近傍には、本体凹部２２の外面を構成する大外面２２２が、連結部２１の厚さ方向に突出している。大外面２２２は、小外面２４２の周りに、周方向に均等間隔を空けて４つ形成されている。それぞれの大外面２２２と小外面２４２との間隔もすべて均等間隔になっている。これら大外面２２２の形状やサイズはすべて同一になっている。なお、本体凹部２２および本体小凹部２４の内面とは、一方の主面２１ａ側の各凹部内の面をいい、本体凹部２２および本体小凹部２４の外面とは、各凹部に対応する他方の主面２１ｂ側の面をいう。
大外面２２２は、中空の円柱状に形成されている。この中空の部分が、本体凹部２２に対応することはいうまでもない。また、大外面２２２は、先端に向かうにしたがって径寸法が漸次小さくなるようになっている。
【００３３】
この大外面２２２は、他方の主面２１ｂから立ち上がる外周面２２２ａと、この外周面２２２ａの先端に設けられた外底面２２２ｂとを備えている。これら外周面２２２ａと外底面２２２ｂとの連結部分は、全周にわたってＲ状に面取りされている。なお、本体凹部２２と本体小凹部２４とにおいて、面取りされたＲ状の曲率は本体小凹部２４の方が大きくなっている。
また、大外面２２２の高さ寸法ｈは、小外面２４２の高さ寸法と同一になっている。すなわち、外底面２４２ｂと外底面２４２ｂとは、すべて面一になっている。
【００３４】
さらに、小外面２４２の外周面２４２ａと、大外面２２２の外周面２２２ａとは、板状に立てられた４つの板状リブ２５によってそれぞれ連結されている。そして、これら４つの板状リブ２５は、周方向に均等間隔を空けて設けられている。すなわち、４つの板状リブ２５は、周方向に９０°の間隔を空けて設けられている。換言すれば、これら４つの板状リブ２５のうち、２つが直線上に対向して配置され、他の２つが直線上に対向して配置されており、互いの直線が直交している。なお、板状リブ２５の高さ寸法は、大外面２２２の高さ寸法ｈ（図５，６に示す）よりも小さくなっている。
【００３５】
また、他方の主面２１ｂには、その内方領域において、円環状に立ち上げられた環状リブ２３が形成されている。環状リブ２３は、それぞれの大外面２２２と他方の主面２１ｂとにわたって延ばされ、小外面２４２と同心状に配置されている。すなわち、環状リブ２３は、周方向に隣り合う大外面２２２の間の他方の主面２１ｂと外周面２２２ａと外底面２２２ｂとにわたって一体に設けられている。環状リブ２３の高さ寸法Ｈ（図６に示す）は、大外面２２２の高さ寸法ｈおよび板状リブ２５の高さ寸法よりも大きくなっている。すなわち、環状リブ２３は、外底面２２２ｂにおいて、厚さ方向に突出している。そのため、他方の主面２１ｂを面上に載置したときに、環状リブ２３の先端の全周が面上に接地するようになっている。
【００３６】
また、図３および図４に示すように、他方の主面２１ｂにおいて、小外面２４２および大外面２２２が突出していることから、これら小外面２４２および大外面２２２の間には、クリアランスＣが設けられている。そして、クリアランスＣは、環状リブ２３によって、環状内に区画されている。すなわち、環状リブ２３が、それぞれの大外面２２２と他方の主面２１ｂとにわたって環状に延在して設けられることにより、クリアランスＣを環状内において仕切っている。そのため、クリアランスＣは、環状内に閉じられた状態になっている。
また、クリアランスＣは、環状内において、板状リブ２５によって、周方向に均等間隔を空けて４つに区画されている。すなわち、板状リブ２５は、環状内において、クリアランスＣを均等に４つに仕切っている。
さらに、環状リブ２３の高さ寸法Ｈは、大外面２２２の高さ寸法ｈよりも大きくなっており、板状リブ２５の高さ寸法は、大外面２２２の高さ寸法ｈよりも小さくなっていることから、板状リブ２５によって区画されたクリアランスＣ内の熱気は、隣の区画のクリアランスＣに伝わることができるが、環状リブ２３の外には排出されにくいようになっている。
【００３７】
また、連結部２１には、本体凹部２２の間に４つの外縁部が設けられている。そして、これら４つの外縁部のうち３つの外縁部には、それぞれ連結凹部２１１が形成されている。これら連結凹部２１１は、連結部２１の中央部に向かって没する円弧状に形成されている。
また、４つの外縁部のうち、残りの１つの外縁部には、他方の主面２１ｂ側に板状に立ち上げられた取付壁部２１２が設けられている。取付壁部２１２は、長手方向の両端部が連結部２１の中央部側に屈曲して形成されている。そして、それら取付壁部２１２２の両端部が、それぞれ外周面２２２ａに連結している。そのため、取付壁部２１２、２つの外周面２２２ａおよび環状リブ２３によって、クリアランスＣ１が形成されている。
また、取付壁部２１２の外面側には、ネジ穴の開口部が形成され、取付壁部２１２の内面側には、内壁に雌ネジが形成されたネジ穴２１２ａが設けられている。
【００３８】
さらに、取付壁部２１２には、棒状に延びる取手部３が設けられている。取手部３は、金属からなる取手連結部３１と、この取手連結部３１に連結された取手本体部３２とを備えている。
取手連結部３１は、内部に不図示の貫通孔が形成されている。
取手本体部３２は、樹脂からなっており、基端部に貫通孔３２ａが形成されている。
このような構成のもと、取手連結部３１の貫通孔と取手本体部３２の貫通孔３２ａとにわたってネジが挿通されて、当該ネジがネジ穴２１２ａに締められることにより、取手部３が取付壁部２１２に、取り付けられている。
【００３９】
また、図７に示すように、フライパン１は、フタ４を備えている。
フタ４は、円環状の支持部４ｃと、この支持部４ｃ内に設けられたフタ本体部４ａと、このフタ本体部４ａの中央部に設けられた円形取手部４ｂとを備えている。
支持部４ｃは、金属からなり、その径寸法が、本体凹部２２の径寸法ｒ１と同一になっている。
フタ本体部４ａは、透明のガラスからなり、ドーム状に突出して形成されている。
円形取手部４ｂは、樹脂からなり、利用者が把持できるようになっている。
このような構成のもと、フタ４は、本体凹部２２の開口縁部２２１に載置され、本体凹部２２のフタとして機能する。
【００４０】
次いで、本実施形態におけるフライパン１の利用方法について説明する。
利用者が、他方の主面２１ｂ側から加熱本体部２を加熱して、それぞれの本体凹部２２に、食材を入れて加熱処理していく。例えば、本体凹部２２に、卵を入れて同時に複数の目玉焼きを調理していく。このとき、本体小凹部２４に、例えば、ニンニクやバターなど、他の食材を同時に調理することもできる。
なお、必要に応じて、フタ４を本体凹部２２に被せて、本体凹部２２内の食材を蒸すことができる。
ここで、連結部２１には、クリアランスＣや連結凹部２１１が設けられていることから、加熱本体部２の重量が軽くなっており、利用者にとって操作し易くなっている。さらに、連結部２１の中央部に本体小凹部２４が設けられ、その周囲に本体凹部２２が周方向に均等間隔に設けられていることから、利用者が取手部３を把持したときのバランスがよく、より操作し易くなる。
【００４１】
一方、クリアランスＣや連結凹部２１１が設けられていることにより、加熱本体部２の強度が弱まり易くなってしまう。本実施形態におけるフライパン１においては、環状リブ２３が設けられていることから、加熱本体部２の強度が増大する。また、板状リブ２５によっても、加熱本体部２の強度が増大する。さらに、環状リブ２３が本体小凹部２４と同心状に設けられていることから、加熱本体部２のバランスを向上させるだけでなく、加熱本体部２の全面にわたって強度が均等に均される。
また、他方の主面２１ｂ側を加熱しているときに、クリアランスＣが設けられていることから、熱が伝わりにくく、熱気が外方に逃げてしまうことが考えられる。本実施形態におけるフライパン１においては、以下のように、効果的に加熱処理を行うことができる。
【００４２】
すなわち、ガスコンロに加熱本体部２を載置して火を付けると、その火によって他方の主面２１ｂ側が熱せられる。その熱は、外底面２４２ｂから外周面２４２ａおよび本体小凹部２４の内底面や内周面に伝わり、本体小凹部２４内の食材を加熱する。また、熱は、外底面２２２ｂから外周面２２２ａおよび本体凹部２２の内底面や内周面に伝わり、本体小部２２内の食材を加熱する。
このとき、板状リブ２５によって、外周面２２２ａ，２４２ａ同士が連結されていることから、板状リブ２５を介して互いに熱が伝わっていく。また、環状リブ２３によって、外周面２２２ａ同士が連結されていることから、環状リブ２３を介して互いに熱が伝わっていく。
また、クリアランスＣ内の熱気は、板状リブ２５および環状リブ２３によって、その動きが規制され、クリアランスＣ内に止まり続ける。そのため、クリアランスＣ内の熱気によって、さらに大外面２２２および小外面２４２が加熱されていく。このとき、クリアランスＣが、板状リブ２５によって均等に区画されていることから、熱気がクリアランスＣ内において均等に配され、大外面２２２および小外面２４２に対する加熱ムラが抑えられる。
【００４３】
また、クリアランスＣ内の区画ごとに、温度差や圧力差が生じる場合がある。このときでも、板状リブ２５の高さ寸法が、大外面２２２の高さ寸法ｈよりも小さくなっていることから、温度差や圧力差に応じて、熱気が各区画内を移動していく。その一方で、環状リブ２３の高さ寸法Ｈは、大外面２２２の高さ寸法ｈよりも大きくなっていることから、各区画内の熱気は、環状リブ２３によって、その動きが規制され、外方に排出されることが抑えられる。すなわち、クリアランスＣ内の熱気は、環状リブ２３の環状内では、移動することができるが、環状外には排出されにくくなる。
また、環状リブ２３と取付壁部２１２との間にクリアランスＣ１が設けられていることから、他方の主面２１ｂの中央部側の熱が、ダイレクトに取手部３に伝わりにくくなる。
【００４４】
以上より、本実施形態におけるフライパン１によれば、本体凹部２２が複数設けられていることから、それら複数の本体凹部２２に食材を入れて同時に調理することができる。そのため、複数の料理を迅速かつ容易に行うことができる。
また、連結部２１の中央部に本体小凹部２４が設けられていることから、さらに食材を加熱処理することができ、連結部２１のスペース効率を図りつつ、利用者にとっての利便性を向上させることができる。
また、他方の主面２１ｂの中央部に本体小凹部２４が設けられていることから、連結部２１の中央部の熱を、厚さ方向よりも面方向に、より伝え易くすることができ、効率よく加熱処理を行うことができる。
また、他方の主面２１ｂの中央部に本体小凹部２４が設けられ、外底面２４２ｂが他方の主面２１ｂから突出していることから、ガスコンロの火口の中央に設けられた過熱防止センサを容易に機能させることができる。
【００４５】
また、他方の主面２１ｂ側にクリアランスＣが設けられていることから、加熱本体部２を軽量化することができ、操作性を向上させることができる。
また、環状リブ２３が設けられていることから、加熱本体部２の強度を増大させることができる。
また、環状リブ２３が設けられていることから、クリアランスＣ内の熱気を環状内に止めることができ、加熱本体部２の軽量化を図りつつ、加熱効率を向上させることができる。
また、本体凹部２２が、本体小凹部２４の周囲に周方向に均等間隔を空けて設けられていることから、加熱本体部２のバランス性を向上させることができる。
また、本体小凹部２４と環状リブ２３とが、同心状に設けられていることから、バランス性を向上させることができるだけでなく、クリアランスＣ内の熱気を他方の主面２１ｂ側の中央に配することができ、加熱効率を向上させることができる。
【００４６】
また、板状リブ２５が設けられていることから、加熱本体部２の強度を増大させることができる。
また、板状リブ２５が設けられていることから、クリアランスＣ内の熱気を、周方向に均等に均すことができ、加熱効率を向上させることができる。
また、環状リブ２３の高さ寸法Ｈが、大外面２２２の高さ寸法ｈよりも大きくなっており、板状リブ２５の高さ寸法が、大外面２２２の高さ寸法ｈよりも小さくなっていることから、板状リブ２５によって区画されたクリアランスＣ内の熱気を、隣の区画に伝えることを許容しつつ、環状リブ２３の外への排出を抑制することができる。そのため、加熱効率を向上させることができる。
また、連結凹部２１１が設けられていることから、加熱本体部２を軽量化することができる。
また、連結凹部２１１が円弧状に形成されていることから、連結部２１を中央部に向かってより多く凹ませることができ、加熱本体部２の軽量化を図ることができる。
【００４７】
また、環状リブ２３と取付壁部２１２との間にクリアランスＣ１が設けられていることから、他方の主面２１ｂの中央部の熱を取手部３にダイレクトに伝わることを防止することができ、取手部３の操作性や耐久性を向上させることができる。
また、連結部２１の中央部に本体小凹部２４が１つ設けられ、その周りに周方向に均等間隔を空けて本体小凹部２４が４つ設けられていることから、バランス性をさらに向上させることができる。
【００４８】
なお、本考案の技術範囲は上記の実施形態に限定されるものではなく、本考案の趣旨を逸脱しない範囲において、形状や寸法など種々の変更を加えることが可能である。
すなわち、本体凹部２２の形状、開口寸法、深さ寸法および設置数は、適宜変更可能である。具体的には、楕円形、半円形などの形状や、三角形および四角形などの多角形状などであってもよい。また、図８に示すように、本体凹部２２の設置数を３つにしてもいいし、２つや５つ以上であってもよい。なお、図８において、符号１Ａはフライパン（調理器具）を示し、符号２Ａは加熱本体部、符号２１Ａは連結部を示している。
また、図９に示すように、本体凹部２２Ｂを四角形にしてもよい。なお、図９において、符号１Ｂはフライパン（調理器具）を示し、符号２Ｂは加熱本体部、符号２１Ｂは連結部、符号２２１Ｂは縁部を示している。
【００４９】
また、本体凹部２２を全て同一の形状、サイズとしているが、これに限ることはなく、適宜変更可能である。すなわち、本体凹部２２の形状やサイズがそれぞれ異なるようにしてもよい。
また、本体小凹部２４の形状やサイズなども適宜変更可能である。さらに、本体凹部２２と本体小凹部２４とで異なる形状やサイズであってもよい。また、本体小凹部２４の設置位置は、一方の主面２１ａの中央部だけでなく、適宜変更可能である。
また、加熱本体部２が金属からなるとしているが、これに限ることはなく、材質は適宜変更可能である。また、金属としては、鉄などを利用することができる。この場合、鉄のように重たい材料であっても、加熱本体部２の軽量化を図ることができる。
また、環状リブ２３のサイズや形状も適宜変更可能である。例えば、環状リブ２３を矩形状や楕円などにしてもよい。
また、板状リブ２５のサイズや形状も適宜変更である。
【００５０】
また、調理中は、必ずしも全ての本体凹部２２を使用しなくてもよい。さらに、本体小凹部２４を使用しなくてもよいし、本体小凹部２４のみを使用してもよい。
また、調理中、本体凹部２２および本体小凹部２４に、すべて同じ食材を入れてもいいし、それぞれ別々の食材を入れてもよい。
また、加熱器具としては、ガスコンロを利用した例を示したが、適宜変更であり、例えば電気コンロなどであってもよい。
【００５１】
また、本体小凹部２４を設けるとしているが、これに限ることはなく、本体小凹部２４を設けなくてもよい。
また、本体凹部２２の外面が突出し、クリアランスＣが設けられているとしたが、これに限ることはなく、他方の主面２１ｂ側の形状は適宜変更可能である。例えば、クリアランスＣを設けることなく、他方の主面２１ｂ側を全面にわたって平坦面としてもよい。
また、環状リブ２３を設けるとしたが、これに限ることはなく、環状リブ２３を設けなくてもよい。
また、板状リブ２５を設けるとしたが、これに限ることはなく、板状リブ２５を設けなくてもよい。
【００５２】
また、本体凹部２２を、周方向に均等間隔に設けるとしたが、これに限ることはなく、その設置位置は適宜変更可能である。
また、板状リブ２５の高さ寸法が、大外面２２２の高さ寸法ｈよりも小さくなっているとしたが、これに限ることはなく、同一寸法であってもいいし、板状リブ２５の高さ寸法の方が大きくなっていてもよい。
また、環状リブ２３の高さ寸法Ｈが、大外面２２２の高さ寸法ｈよりも大きくなっているとしたが、これに限ることはなく、同一寸法であってもいいし、環状リブ２３の高さ寸法Ｈの方が小さくなっていてもよい。
また、取付壁部２１２が設けられているとしたが、これに限ることはなく、取付壁部２１２を設けなくてもよいし、加熱本体部２に対して着脱可能になっていてもよい。
また、これら各変形例を自由に組み合わせることができることは言うまでもない。
【符号の説明】
【００５３】
１，１Ａ，１Ｂ  フライパン（調理器具）
２，２Ａ，２Ｂ  加熱本体部
２１，２１Ａ，２１Ｂ  連結部
２１ａ  一方の主面
２１ｂ 他方の主面
２１１  連結凹部
２１２  取付壁部
２２，２２Ｂ  本体凹部
２２２  大外面（外面）
２３  環状リブ
２４  本体小凹部
３  取手部
Ｃ  クリアランス
Ｈ  高さ寸法
ｈ  高さ寸法
【図１】
0003183737.tif 000003
【図２】
0003183737.tif 000004
【図３】
0003183737.tif 000005
【図４】
0003183737.tif 000006
【図５】
0003183737.tif 000007
【図６】
0003183737.tif 000008
【図７】
0003183737.tif 000009
【図８】
0003183737.tif 000010
【図９】
0003183737.tif 000011